(57)【要約】【課題】ロックアームが破損し難いコネクタを提供する。【解決手段】ロックアーム５が、絶縁性のハウジング４によって支持されるロックアーム本体５０と、ロックアーム本体５０から外向きに突出し相手方コネクタのロック部に乗り越え係止する爪部６０と、外側からの押圧によりロックアーム本体５０を撓ませて前記ロック部に対する爪部６０の係合を解除する解除凸部７０とを含む。解除凸部７０が、外向溝７２と交互に配置された外向リブ７１で形成される。ロックアーム本体５０の撓み方向Ｂに関しての厚みｔが、ロックアーム本体５０において外向溝７２の底を区画する部分Ｐにおいて最小厚みｔＭＩＮとなる。【選択図】図５
2020170599.tif 000002
【特許請求の範囲】
【請求項１】
相手方コネクタの挿入凹部に対してコネクタ連結方向に挿入される絶縁性のハウジングであって、前記コネクタ連結方向に延びる所定の壁部を含むハウジングと、
前記コネクタ連結方向に延びるように前記所定の壁部によって片持ち又は両持ちの状態で支持され、弾性的に撓み変位可能なロックアーム本体と、前記ロックアーム本体から外向きに突出し、前記ハウジングが前記挿入凹部に対して前記コネクタ連結方向に挿入されるに伴って前記相手方コネクタのロック部に乗り越え係止する爪部と、前記爪部に対して前記コネクタ連結方向の反対側に配置され、前記ロックアーム本体から外向きに突出し、外側から押圧されることによって前記ロックアーム本体を撓ませて前記ロック部に対する前記爪部の係合を解除可能な少なくとも一つの解除凸部と、を含むロックアームと、を備え、
前記解除凸部が、溝と交互に配置されたリブで形成されており、
前記ロックアーム本体の撓み方向に関しての厚みが、前記ロックアーム本体において前記溝の底を区画する部分において最小厚みとなる、コネクタ。
【請求項２】
請求項１に記載のコネクタにおいて、前記溝が外向溝を含む、コネクタ。
【請求項３】
請求項１に記載のコネクタにおいて、前記溝が内向溝を含む、コネクタ。
【請求項４】
請求項１〜３の何れか一項に記載のコネクタにおいて、前記ロックアームが、両持ち状態で支持されており、
前記リブが、前記コネクタ連結方向に並んでおり、且つ前記リブの頂部の高さが揃えられており、
前記溝の深さが、前記コネクタ連結方向の前記爪部側に向かって次第に深くされている、コネクタ。
【請求項５】
請求項１〜３の何れか一項に記載のコネクタにおいて、前記ロックアーム本体が、前記所定の壁部と接続される基端部と、前記爪部が設けられる先端部とを含み、且つ前記基端部を介して片持ち状態で支持されており、
前記リブが、前記コネクタ連結方向に並んでおり、且つ前記リブの頂部の高さが揃えられており、
前記溝の深さが、前記コネクタ連結方向の前記基端部側に向かって次第に深くされている、コネクタ。
【請求項６】
請求項１〜５の何れか一項に記載のコネクタにおいて、前記リブが、前記コネクタ連結方向に並んでおり、
前記ロックアーム本体が撓むときに、前記コネクタ連結方向に隣接するリブの頂部どうしが互いに当接することにより、前記ロックアーム本体の最大撓み量が規制されるように構成されている、コネクタ。
【発明の詳細な説明】
【技術分野】
【０００１】
本発明は、コネクタに関する。
【背景技術】
【０００２】
特許文献１の電気コネクタの位置決め装置では、内部に端子が位置決めされる絶縁本体の左右両側に、外向きの弾性アーム（ロックアーム）が接続される。前記弾性アームの前端と後端とが前記絶縁本体に接続され、前記絶縁アームのその他の位置が懸空部分を形成している。左右の弾性アームの前段の懸空部分に、相手方コネクタに係止する外向きの係止ブロックが設置されている。また、左右の弾性アームの後段に、凸条状の押圧部が設けられている。
【先行技術文献】
【特許文献】
【０００３】
【特許文献１】実用新案登録第３１０６８０９号
【発明の概要】
【発明が解決しようとする課題】
【０００４】
しかしながら、前記凸条状の押圧部が厚肉となり、押圧部の剛性が他の部分よりも高くなる。このため、ロックアームの撓み時に応力集中が生じて、弾性アーム（ロックアーム）が破損し易くなる。
本発明の目的は、ロックアームが破損し難いコネクタを提供することである。
【課題を解決するための手段】
【０００５】
請求項１に記載の発明は、相手方コネクタ（１００）の挿入凹部（１４０）に対してコネクタ連結方向（Ｘ１）に挿入される絶縁性のハウジング（４）であって、前記コネクタ連結方向に延びる所定の壁部（４１）を含むハウジングと、前記コネクタ連結方向に延びるように前記所定の壁部によって片持ち又は両持ちの状態で支持され、弾性的に撓み変位可能なロックアーム本体（５０）と、前記ロックアーム本体から外向きに突出し、前記ハウジングが前記挿入凹部に対して前記コネクタ連結方向に挿入されるに伴って前記相手方コネクタのロック部（１５０）に乗り越え係止する爪部（６０）と、前記爪部に対して前記コネクタ連結方向の反対側に配置され、前記ロックアーム本体から外向きに突出し、外側から押圧されることによって前記ロックアーム本体を撓ませて前記ロック部に対する前記爪部の係合を解除可能な少なくとも一つの解除凸部（７０；７０Ｑ；７０Ｓ）と、を含むロックアーム（５；５Ｑ；５Ｒ；５Ｓ；５Ｔ）と、を備え、前記解除凸部が、溝（７２；７２Ｑ；７２Ｓ；７２Ｕ）と交互に配置されたリブ（７１；７１Ｑ；７１Ｓ；７１Ｕ）で形成されており、前記ロックアーム本体の撓み方向（Ｂ）に関しての厚み（ｔ）が、前記ロックアーム本体において前記溝の底を区画する部分において最小厚み（ｔＭＩＮ）となる、コネクタ（１；１Ｕ）を提供する。
【０００６】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、請求項１において、前記溝が外向溝（７２；７２Ｓ；７２Ｕ）を含んでいてもよい。
【０００７】
請求項３に記載の発明のように、請求項１において、前記溝が内向溝（７２Ｑ）を含んでいてもよい。
請求項４に記載の発明のように、請求項１〜３の何れか一項において、前記ロックアーム（５Ｓ）が、両持ち状態で支持されており、前記リブ（７１Ｓ）が、前記コネクタ連結方向に並んでおり、且つ前記リブの頂部の高さが揃えられており、前記溝（７２Ｓ）の深さが、前記コネクタ連結方向の前記爪部側に向かって次第に深くされていてもよい。
【０００８】
請求項５に記載の発明のように、請求項１〜３の何れか一項において、前記ロックアーム本体（５０Ｕ）が、前記所定の壁部と接続される基端部（５２Ｕ）と、前記爪部が設けられる先端部（５１Ｕ）とを含み、且つ前記基端部を介して片持ち状態で支持されており、前記リブ（７１Ｕ）が、前記コネクタ連結方向に並んでおり、且つ前記リブの頂部の高さが揃えられており、前記溝（７２Ｕ）の深さが、前記コネクタ連結方向の前記基端部側に向かって次第に深くされていてもよい。
【０００９】
請求項６に記載の発明のように、請求項１〜５の何れか一項において、前記リブが、前記コネクタ連結方向に並んでおり、前記ロックアーム本体が撓むときに、前記コネクタ連結方向に隣接するリブの頂部（７１ａ）どうしが互いに当接することにより、前記ロックアーム本体の最大撓み量（ｅＭＡＸ）が規制されるように構成されていてもよい。
【発明の効果】
【００１０】
請求項１に記載の発明では、ロックアーム本体の厚みは、ロックアーム本体において解除凸部のリブ間の溝の底を区画する部分で最小となる。このため、ロックアーム本体において解除凸部が配置される部分の剛性が高くなるのを抑制して、ロックアーム本体の全体を撓み易くすることができる。これにより、応力の集中を緩和して、ロックアームの破損の発生を防止することができる。
【００１１】
請求項２に記載の発明では、解除凸部を形成するリブと交互に配置される溝が、外向溝である。このため、解除凸部を成形し易い。
請求項３に記載の発明では、解除凸部を形成するリブと交互に配置される溝が、内向溝であり、外側には開放しない。このため、外側から解除凸部を指で押圧するときに、内向溝に指の爪が引っ掛かることがなく、操作し易い。
【００１２】
請求項４に記載の発明では、両持ち状態で支持されるロックアームにおいて、解除凸部を形成するリブと交互に配置される溝の深さが、コネクタ連結方向の爪部側に向かって次第に深くなる。このため、ロックアーム本体において爪部の配置される部分が、より撓み易くなる。このため、ロックの解除がし易くなる。
請求項５に記載の発明では、片持ち状態で支持されるロックアームにおいて、解除凸部を形成するリブと交互に配置される溝の深さが、基端部側に向かって次第に深くなる。このため、ロックアーム本体において爪部の配置される先端部が、より撓み易くなる。このため、ロックの解除がし易くなる。
【００１３】
請求項６に記載の発明では、解除凸部を形成するリブの頂部どうしの当接により、ロックアーム本体の撓み量が規制される。このため、過度な撓みによる破損の発生を防止することができる。
【図面の簡単な説明】
【００１４】
【図１】本発明の第１実施形態に係るコネクタと相手方コネクタの連結前の状態の概略斜視図である。
【図２】第１実施形態のコネクタのハウジングの斜視図である。
【図３】前記ハウジングの平面図である。
【図４】前記ハウジングの正面図である。
【図５】前記ハウジングの一部破断正面図である。
【図６Ａ】ロック状態のロックアーム周辺の構造の断面図である。
【図６Ｂ】ロック解除状態のロックアーム周辺の構造の断面図である。
【図７】本発明の第２実施形態におけるロックアームの模式的断面図である。
【図８】本発明の第３実施形態におけるロックアームの模式的断面図である。
【図９】本発明の第４実施形態におけるロックアームの模式的断面図である。
【図１０Ａ】本発明の第５実施形態におけるロックアームの最大撓み状態の模式的断面図である。
【図１０Ｂ】本発明の第６実施形態におけるロックアームの最大撓み状態の模式的断面図である。
【図１１】本発明の第７実施形態に係るコネクタの正面図である。
【図１２】本発明の第８実施形態におけるロックアームの解除凸部の周辺の平面図である。
【図１３】本発明の第９実施形態におけるロックアームの解除凸部の周辺の平面図である。
【発明を実施するための形態】
【００１５】
以下、本発明を具体化した実施形態を図面に従って説明する。
（第１実施形態）
図１は本発明の第１実施形態のコネタクと相手方コネクタの斜視図である。図１に示すように、コネクタ１は、接続部材としての電線２と接続された端子３を収容保持するハウジング４と、ハウジング４によって支持されたロックアーム５とを備える。コネクタ１は、相手方コネクタ１００に対してコネクタ連結方向Ｘ１に連結される。
【００１６】
相手方コネクタ１００は、取付対象としての例えば回路基板２００の表面２１０に実装されたコネクタである。相手方コネクタ１００は、コネクタ１の端子３と接続される端子１１０と、端子１１０を収容保持する中空のハウジング１２０と、端子１１０をシールドするシールド部材１３０とを備えている。
ハウジング１２０は、天壁部１２１と底壁部１２２と一対の側壁部１２３とを含む。ハウジング１２０には、天壁部１２１と底壁部１２２と一対の側壁部１２３とによって区画される挿入凹部１４０が形成されている。
【００１７】
コネクタ１のハウジング４のコネクタ連結方向Ｘ１の前側半部が、相手方コネクタ１００の挿入凹部１４０に対して挿入される。相手方コネクタ１００の天壁部１２１の内面には、一対のロック部１５０が突出形成されている。各ロック部１５０は、コネクタ連結方向Ｘ１に平行に延びる短い断面矩形の凸条（図６Ｂを参照）で形成されている。
次いで、コネクタ１のハウジング４とロックアーム５を説明する。
【００１８】
図２は、ハウジング４の斜視図である。図３は、ハウジングの平面図である。図４は、ハウジング４の正面図である。図５は、ハウジング４の一部破断正面図であり、図３のＶ−Ｖ断面図に相当する。
図２〜図５に示すように、ハウジング４は、コネクタ連結方向Ｘ１に延びる天壁部４１と底壁部４２と一対の側壁部４３とを含む。ハウジング４には、天壁部４１と底壁部４２と一対の側壁部４３とによって区画される内部空間Ｓが形成されている。
【００１９】
ロックアーム５は、ロックアーム本体５０と、一対の爪部６０と、解除凸部７０とを含む。ロックアーム本体５０は、コネクタ連結方向Ｘ１に延びている。ロックアーム本体５０は、天壁部４１のコネクタ連結方向Ｘ１側の端部である第１端部４１ａとコネクタ連結方向Ｘ１の反対側Ｘ２の端部である第２端部４１ｂとによって、両持ちの状態で支持されている。
【００２０】
ロックアーム本体５０の第１端部５１が、天壁部４１の第１端部４１ａによって支持され、ロックアーム本体５０の第２端部５２が、天壁部４１の第２端部４１ｂによって支持されている。図２及び図５に示すように、ロックアーム本体５０は、両端部（第１端部５１及び第２端部５２）を支点として、内部空間Ｓ側へ撓み変位可能である。
図２及び図３に示すように、天壁部４１には、コネクタ連結方向Ｘ１に平行に延びる一対のスリット４４が、一対の側壁部４３に隣接するように形成されている。ロックアーム本体５０は、一対のスリット４４の間に形成されている。
【００２１】
ロックアーム本体５０の上面５０ａには、第１端部５１からコネクタ連結方向Ｘ１の反対側Ｘ２へ解除凸部７０の近くまで延びる中央凸条５３と、中央凸条５３を挟んだ両側に配置された一対の凹条５４とが形成されている。各凹条５４に、爪部６０が突出形成されている。
各側壁部４３の上部と中央凸条５３との間に配置される各凹条５４によって、各案内溝Ｇが形成されている。コネクタ１のハウジング４が、相手方コネクタ１００の挿入凹部１４０に挿入されるときに、各案内溝Ｇが、相手方コネクタ１００の対応するロック部１５０を案内する機能を果たす。各爪部６０は、案内溝Ｇのコネクタ連結方向Ｘ１の途中部に配置されることになる。
【００２２】
次いで、爪部６０を説明する。図２及び図５に示すように、爪部６０は、頂部６１と、頂部６１のコネクタ連結方向Ｘ１側に配置された係止部６２と、頂部６１のコネクタ連結方向Ｘ１の反対側Ｘ２に配置された傾斜状の駆動面６３とを含む。
爪部６０は、コネクタ１のハウジング４が相手方コネクタ１００の挿入凹部１４０に挿入されるに伴って、概略断面図である図６Ａに示すように、相手方コネクタ１００のロック部１５０に乗り越え係止する。
【００２３】
図示していないが、まず、相手方コネクタ１００のロック部１５０に対して、爪部６０の駆動面６３が係合し、挿入方向の力がロックアーム本体５０の撓み方向の力に変換される。これにより、ロックアーム本体５０が内部空間Ｓ側へ撓まされ、爪部６０の頂部６１が、相手方コネクタ１００のロック部１５０を乗り越える。これにより、図６Ａに示すように、爪部６０の係止部６２が、相手方コネクタ１００のロック部１５０に対して係止し、ロックが達成される。
【００２４】
次いで、解除凸部７０を説明する。図２及び図５に示すように、解除凸部７０は、爪部６０に対してコネクタ連結方向Ｘ１の反対側Ｘ２に配置されている。解除凸部７０は、ロックアーム本体５０の上面５０ａから外向きに突出している。
解除凸部７０は、図６Ｂに示すように、外側からの押圧されることによってロックアーム本体５０を内部空間Ｓ側へ撓ませて、ロック部１５０に対する爪部６０の係合を解除可能である。解除凸部７０は、コネクタ連結方向Ｘ１に並び、外向溝７２と交互に配置された複数の外向リブ７１によって形成されている。外向溝７２の延びる方向に関して外向溝７２の両端は、開放されている。
【００２５】
図５に示すように、ロックアーム本体５０の撓み方向Ｂに関しての厚みｔは、ロックアーム本体５０において外向溝７２の底を区画する部分Ｐにおいて最小厚みｔＭＩＮとなっている。
本実施形態では、ロックアーム本体５０の厚みｔは、ロックアーム本体５０において解除凸部７０の外向リブ７１の間の外向溝７２の底を区画する部分Ｐで、最小厚みｔＭＩＮとなる。このため、ロックアーム本体５０において解除凸部７０が配置される部分の剛性が高くなるのを抑制して、ロックアーム本体５０の全体を撓み易くすることができる。これにより、応力の集中を緩和して、ロックアーム５の破損の発生を防止することができる。
【００２６】
また、解除凸部７０を形成する外向リブ７１は、外向溝７２と交互に配置される。このため、解除凸部７０を成形し易い。
（第２実施形態）
図７は、本発明の第２実施形態のロックアーム５Ｑの模式的断面図である。
図７において三角印の支点は、ロックアーム５Ｑを両持ち状態で支持する天壁部４１の第１端部４１ａと第２端部４１ｂとを模式的に表したものである。
【００２７】
図７の第２実施形態のロックアーム５Ｑが、図５の第１実施形態のロックアーム５と異なるのは、内向溝７２Ｑと交互に配置された内向リブ７１Ｑで形成された解除凸部７０Ｑを設けている点である。
本実施形態では、解除凸部７０Ｑを形成する内向リブ７１Ｑと交互に配置される内向溝７２Ｑは、内部空間Ｓ側に開放し、外側には開放しない。このため、外側から解除凸部７０Ｑを指で押圧するときに、内向溝７２Ｑに指の爪が引っ掛かることがなく、押圧の操作がし易い。また、内向溝７２Ｑに外部からのゴミ等が入り難い。また、解除凸部７０Ｑの外観も、美観に優れる。
（第３実施形態）
図８は、本発明の第３実施形態のロックアーム５Ｒの模式的断面図である。
【００２８】
図８の第３実施形態のロックアーム５Ｒが、図５の第１実施形態のロックアーム５や図７の第２実施形態のロックアーム５Ｑと異なるのは、複数の解除凸部７０；７０Ｑを設けている点である。
なお、図示していないが、第３実施形態の変更例として、外向リブ７１により形成された複数の解除凸部７０のみを設けてもよい。また、内向リブ７１Ｑにより形成された複数の解除凸部７０Ｑのみを設けてもよい。
（第４実施形態）
図９は、本発明の第４実施形態のロックアーム５Ｓの模式的断面図である。
【００２９】
図９の第４実施形態のロックアーム５Ｓが、図５の第１実施形態のロックアーム５と異なるのは、下記である。すなわち、頂部の高さが揃えられた複数の外向リブ７１Ｓによって形成される解除凸部７０Ｓが設けられている。コネクタ連結方向Ｘ１に隣接する外向リブ７１Ｓの間の外向溝７２Ｓの深さが、コネクタ連結方向Ｘ１の爪部６０側に向かって次第に深くされている。
【００３０】
本実施形態では、ロックアーム本体５０において爪部６０の配置される部分が、より撓み易くなる。このため、ロックの解除がし易くなる。なお、図示していないが、第４実施形態の変更例として、解除凸部を形成する複数の内向リブの間の内向溝の深さが、爪部側に向かって深くなるようにされてもよい。
（第５実施形態及び第６実施形態）
図１０Ａは、本発明の第５実施形態のロックアーム５Ｔの最大撓み状態の模式的断面図である。図１０Ｂは、第５実施形態の変更例としての第６実施形態のロックアーム５Ｕの最大撓み状態の模式的断面図である。
【００３１】
図１０Ａの第５実施形態では、ロックアーム本体５０が撓むときに、コネクタ連結方向Ｘ１に隣接する外向リブ７１の頂部７１ａどうしが互いに当接することにより、ロックアーム本体５０の最大撓み量ｅＭＡＸが規制される。このため、過度な撓みによる破損の発生を防止することができる。
図１０Ｂの第６実施形態が、図１０Ａの第５実施形態と異なるのは、ロックアーム５Ｕの外向リブ７１の高さが、図１０Ａの第５実施形態の外向リブ７１の高さよりも高くされていることである。このため、図６の第６実施形態では、ロックアーム５Ｔのロックアーム本体５０の最大撓み量ｅＭＡＸが、第５実施形態におけるロックアーム５Ｕのロックアーム本体５０の最大撓み量ｅＭＡＸよりも小さくなるように規制される。すなわち、外向リブ７１の高さの設定により、ロックアーム本体５０の最大撓み量ｅＭＡＸを所望に調整することができる。
（第７実施形態）
図１１は、本発明の第７実施形態のコネクタ１Ｕの正面図である。
【００３２】
図１１の第７実施形態のコネクタ１Ｕでは、片持ち状態で支持されるロックアーム５Ｕのロックアーム本体５０Ｕが、ハウジング４の天壁部４１によって支持された基端部５２Ｕと、先端部５１Ｕと、先端部５１Ｕに配置された爪部６０と、爪部６０と基端部５２Ｕとの間に配置された解除凸部７０Ｕとを含む。
解除凸部７０Ｕは、コネクタ連結方向Ｘ１に並び、頂部の高さが揃えられた複数の外向リブ７１Ｕで形成されている。複数の外向リブ７１Ｕの間の外向溝７２Ｕの深さが、基端部５２Ｕ側に向かって次第に深くされている。
【００３３】
本実施形態では、片持ち状態で支持されるロックアーム５Ｕにおいて、解除凸部７０Ｕを形成する外向リブ７１Ｕと交互に配置される外向溝７２Ｕの深さが、基端部５２Ｕ側に向かって次第に深くなる。このため、ロックアーム本体５０Ｕにおいて爪部６０の配置される先端部５１Ｕが、より撓み易くなる。このため、ロックの解除がし易くなる。
なお、図示していないが、第７実施形態の変更例として、解除凸部を形成する内向リブ間の内向溝の深さが、基端部５２Ｕ側に向かって次第に深くされていてもよい。
【００３４】
本発明は、前記実施形態に限定されるものではなく、例えば、図１２の第８実施形態及び図１３の第９実施形態に示すように、解除凸部７０を形成する外向リブ７１（内向リブであってもよい）は、コネクタ連結方向Ｘ１と交差する方向に並んでいてもよい。具体的には、図１２の第８実施形態に示すように、解除凸部７０を形成する外向リブ７１が、コネクタ連結方向Ｘ１と直交する方向に並んでいてもよい。また、図１３の第９実施形態に示すように、解除凸部７０を形成する外向リブ７１が、コネクタ連結方向Ｘ１に対して斜めに傾斜する方向に並んでいてもよい。
【００３５】
また、ロックアーム５の解除凸部７０の少なくとも一部の外向リブ７１が、別のコネクタの解除凸部７０の外向溝７２に嵌まらない形状（例えば図４の右側の外向リブ７１のように基端側を太くする形状）を有していてもよい。これにより、搬送途中にコネクタどうしが絡み合うことがなく、したがって、組立時にコネクタどうしの絡みを解く作業が必要になることがない。なお、図示していないが、少なくとも一部の外向リブ７１の配置を不等ピッチとすることで、コネクタどうしの絡み合いを防止してもよい。
【００３６】
その他、本発明は、特許請求の範囲記載の範囲内で種々の変更を施すことができる。
【符号の説明】
【００３７】
１；１Ｕ  コネクタ
３  端子
４  ハウジング
５；５Ｑ；５Ｒ；５Ｓ；５Ｔ；５Ｕ；  ロックアーム
４１  天壁部（所定の壁部）
４４  スリット
５０；５０Ｕ  ロックアーム本体
５１  第１端部
５１Ｕ  先端部
５２  第２端部
５２Ｕ  基端部
５３  中央凸条
５４  凹条
６０  爪部
６１  頂部
６２  係止部
６３  駆動面
７０；７０Ｑ；７０Ｓ；７０Ｕ  解除凸部
７１；７１Ｓ；７１Ｕ  外向リブ
７１Ｑ  内向リブ
７１ａ  頂部
７２；７２Ｓ；７２Ｕ  外向溝
７２Ｑ  内向溝
１００  相手片コネクタ
１１０  端子
１２０  ハウジング
１４０  挿入凹部
１５０  ロック部
Ｂ  撓み方向
Ｇ  案内溝
Ｓ  内部空間
Ｘ１  コネクタ連結方向
Ｘ２  （コネクタ連結方向の）反対側
ｅＭＡＸ  最大撓み量
ｔ  厚み
ｔＭＩＮ  最小厚み
【図１】
2020170599.tif 000003
【図２】
2020170599.tif 000004
【図３】
2020170599.tif 000005
【図４】
2020170599.tif 000006
【図５】
2020170599.tif 000007
【図６Ａ】
2020170599.tif 000008
【図６Ｂ】
2020170599.tif 000009
【図７】
2020170599.tif 000010
【図８】
2020170599.tif 000011
【図９】
2020170599.tif 000012
【図１０Ａ】
2020170599.tif 000013
【図１０Ｂ】
2020170599.tif 000014
【図１１】
2020170599.tif 000015
【図１２】
2020170599.tif 000016
【図１３】
2020170599.tif 000017